(57)【要約】【課題】端子間接続作業の作業効率を向上する。【解決手段】第１端子と第２端子５０とを接続する端子接続部品１０は、第１端子１２に対して回転規制される規制部材２６と、第１端子１２及び第２端子５０を貫通する軸部３１を有し、軸部３１を回転させることで第１端子１２及び第２端子５０を押圧する押圧部３２により、第１端子１２及び第２端子５０に荷重がかかる位置に回転可能に保持される回転部材３０と、を備える。【選択図】図３
2014130799.tif 000002
【特許請求の範囲】
【請求項１】
第１端子と第２端子とを接続する端子接続部品であって、
前記第１端子に対して回転規制される規制部材と、
前記第１端子及び前記第２端子を貫通する軸部を有し、前記軸部を回転させることで前記第１端子及び前記第２端子を押圧する押圧部により、前記第１端子及び前記第２端子に荷重がかかる位置に回転可能に保持される回転部材と、を備える端子接続部品。
【請求項２】
前記押圧部と、前記第１端子または前記第２端子との間に挟持されたバネ部材を備える請求項１に記載の端子接続部品。
【請求項３】
前記第１端子は、単電池に設けられた電極端子である請求項１または請求項２に記載の端子接続部品。 
【請求項４】
単電池と、請求項１ないし請求項３のいずれか一項に記載の端子接続部品と、を備えた電池モジュールであって、
前記第１端子は、前記単電池に設けられた電極端子であって、前記第２端子との接続部が前記単電池の前記電極端子が設けられている端子形成面と対向するように配され、
前記回転部材は、前記押圧部を前記第１端子と前記単電池の端子形成面との間に配しつつ、前記軸部に前記第１端子を貫通させた状態で、前記単電池に組み込まれている電池モジュール。
【発明の詳細な説明】
【技術分野】
【０００１】
本発明は、端子接続部品および電池モジュールに関する。
【背景技術】
【０００２】
例えば電気自動車やハイブリッドカー等では、動力源等として、単電池を複数接続してなる電池モジュールを、複数接続して用いることがある。
複数の単電池あるいは複数の電池モジュールを接続する場合、例えば特許文献１に記載されているように、バスバー等の接続部材を隣り合う単電池のボルト状の端子間に配置して、端子にナットを締め付けることにより接続する。
【先行技術文献】
【特許文献】
【０００３】
【特許文献１】特開平１１−６７１８４号公報
【発明の概要】
【発明が解決しようとする課題】
【０００４】
しかしながら、ボルト締結により端子間を接続する場合、端子ごとにボルト締結を行う必要があるので手間がかかり、作業効率が悪いという問題があった。また、ボルト締結により端子間を接続する場合には、トルク管理が行われるためボルト位置の不良等を防止できないという問題があった。
【０００５】
本発明は上記のような事情に基づいて完成されたものであって、端子間接続作業の作業効率を向上することを目的とする。
【課題を解決するための手段】
【０００６】
上記課題を解決するものとして本発明は、第１端子と第２端子とを接続する端子接続部品であって、前記第１端子に対して回転規制される規制部材と、前記第１端子及び前記第２端子を貫通する軸部を有し、前記軸部を回転させることで前記第１端子及び前記第２端子を押圧する押圧部により、前記第１端子及び前記第２端子に荷重がかかる位置に回転可能に保持される回転部材と、を備える端子接続部品である。
【０００７】
本発明において、第１端子と第２端子とを接続するときには、例えば、回転部材の軸部に第１端子および第２端子を貫通させ、軸部を回転させる。軸部を回転させて、押圧部が規制部材とともに第１端子および第２端子を押圧し、第１端子及び第２端子に荷重がかかる位置に至ると、その位置で回転部材が保持される。第１端子および第２端子に荷重がかかると２つの端子は電気的に接続可能な状態となる。
【０００８】
つまり、本発明によれば、回転部材に第１端子および第２端子を貫通させて、軸部を２つの端子に荷重がかかった状態となるように回転させればよいので、端子間の接続にボルト締結が不要であり、端子間接続作業の作業効率が向上する。
【０００９】
本発明は以下の構成としてもよい。
前記押圧部と、前記第１端子または前記第２端子との間に挟持されたバネ部材を備えていてもよい。このような構成とすると端子の板厚方向における公差を吸収することができる。
【００１０】
前記第１端子は、単電池に設けられた電極端子であってもよい。
このような構成とすると、単電池を複数接続して電池モジュールを構成するときや複数の電池モジュールを接続する際の接続作業の作業効率が向上する。
【００１１】
また、本発明は、単電池と、上記端子接続部品と、を備えた電池モジュールであって、前記第１端子は、前記単電池に設けられた電極端子であって、前記第２端子との接続部が前記単電池の前記電極端子が設けられている端子形成面と対向するように配され、前記回転部材は、前記押圧部を前記第１端子と前記単電池の端子形成面との間に配しつつ、前記軸部に前記第１端子を貫通させた状態で、前記単電池に組み込まれている電池モジュールであってもよい。
【００１２】
このような構成とすると、単電池の電極端子の第２端子との接続部が単電池の端子形成面と対向するように配されるとともに、回転部材の押圧部が、単電池の端子形成面との間に配されているので、端子接続部品の低背化を図ることができる。また、上記構成において、単電池に組み込まれている回転部材の軸部には第１端子（電極端子）が貫通されており、第２端子および規制部材を軸部の延びる方向から組み付けていけばよいので組み付け作業を簡素化することができる。
【発明の効果】
【００１３】
本発明によれば、端子間接続作業の作業効率を向上することができる。
【図面の簡単な説明】
【００１４】
【図１】実施形態１の端子接続部品を単電池に取り付けた状態を示す正面図
【図２】端子接続部品の側面図
【図３】端子接続部品の一部断面図
【図４】端子接続部品の分解斜視図
【図５】２つのハウジングを嵌合する前の様子を示す斜視図
【図６】２つのハウジングを嵌合した後の様子を示す斜視図
【図７】図６の状態のときの２つの端子、規制部材および回転部材を正面側から示した図
【図８】図６の状態のときの２つの端子、規制部材および回転部材を上面側から示した図
【図９】治具により軸部を回転させる様子を示す斜視図
【図１０】２つの単電池間を接続する様子を示す部分断面図
【図１１】図１０の状態における一部断面図
【図１２】軸部を回転させる前の端子接続部品の一部断面図
【図１３】図１２の状態から軸部を９０°回転させたときの端子接続部品の一部断面図
【図１４】実施形態２の端子接続部品を単電池に取り付けた状態を示す正面図
【図１５】端子接続部品の一部断面図
【図１６】２つの端子を接続する前の状態のときの、２つの端子、規制部材および回転部材を示す斜視図
【図１７】図１６の状態の正面図
【図１８】図１６の状態の側面図
【図１９】図１６の状態の平面図
【図２０】図１６の状態の上面図
【図２１】２つの単電池間を接続する様子を示す部分断面図
【図２２】図２１の状態における一部断面図
【図２３】軸部を回転させる前の端子接続部品の一部断面図
【図２４】図２３の状態から軸部を９０°回転させたときの端子接続部品の一部断面図
【図２５】軸部を回動させる角度と荷重との関係を示したグラフ
【図２６】他の実施形態で説明する端子接続部品の、第１端子と第２端子とを接続する前の状態を単電池とともに示した一部断面図
【図２７】第１端子と第２端子とを接続しときの状態を単電池とともに示した一部断面図
【図２８】実施形態３の端子接続部品を単電池に取り付けた状態を示す斜視図
【図２９】端子接続部品の分解斜視図
【図３０】ハウジングカバーの裏面図
【図３１】ハウジングに収容された状態の端子接続部品の平面図
【図３２】端子接続部品の側面図
【図３３】ハウジングに収容された状態の端子接続部品の断面図
【図３４】図３２のＡ−Ａ線における断面図
【図３５】端子接続部品の斜視図
【図３６】規制部材の側面図
【図３７】第２端子を取り付ける前の様子を示す平面図
【図３８】第２端子を軸部に貫通させる様子を示す斜視図
【図３９】第２端子を軸部に貫通させ軸部を回動させる前の様子を示す斜視図
【図４０】図３９の状態における側面図
【発明を実施するための形態】
【００１５】
＜実施形態１＞
本発明に係る実施形態１の端子接続部品１０を図１ないし図１３によって説明する。以下の説明において図１における上方を上とし下方を下とする。本実施形態の端子接続部品１０は、例えば隣り合う電池モジュール同士や隣り合う単電池１１同士を電気的に接続するものである（図１０参照）。
【００１６】
本実施形態の端子接続部品１０は、図３に示すように、単電池１１の電極端子１２（第１端子の一例）に対して回転規制される規制部材２６、回転部材３０、皿バネ３５（バネ部材の一例）、および、これらを収容する第１ハウジング２０ならびに、一端に電線５５が接続された第２端子５０および第２端子５０を収容する第２ハウジング４０を備える。
【００１７】
（電極端子１２）
単電池１１は、図示しない発電要素と、発電要素を収容する電池ケース１４と、発電要素に接続されるとともに電池ケース１４の上面から突出する平板状の正負の電極端子１２と、を有する。
【００１８】
電池ケース１４の上面には樹脂製のセパレータ１５が配置されている。図１〜図７においてはセパレータ１５よりも上の部分を示している。セパレータ１５には第１ハウジング２０を固定するハウジング固定孔１６が３つ形成されている。セパレータ１５には電池ケース１４の上面から突出する電極端子１２を挿通させる端子挿通孔１７が形成されている。図１においては電池ケース１４の一部を示しているが、他の図では、単電池１１に関してセパレータ１５よりも上の部分のみを描いている。
【００１９】
電極端子１２の上端部はＵ字状をなしている。電極端子１２の上端部には、規制部材２６が嵌めこまれる溝部１３が形成されている（図７を参照）。
【００２０】
（第１ハウジング２０）
樹脂製の第１ハウジング２０は直方体状をなしている。第１ハウジング２０は、図３および図４に示すように、下方が開口し、下端部には、セパレータ１５のハウジング固定孔１６に係止される係止爪２１が複数突出形成されている。
【００２１】
第１ハウジング２０の上面には、第２端子５０が挿入される端子挿入口２２およびシャッター６０が挿入されるシャッター挿入口２３が設けられている。
【００２２】
第１ハウジング２０の正面側の面には、図４〜図６に示すように、回転部材３０の軸部３１を回転させるための治具６４が挿入される治具挿入口２４が形成されている。治具挿入口２４は、円形状をなし、電極端子１２と第２端子５０が接続されている状態のときには図１に示すように、シャッター６０によって覆われている。
【００２３】
第１ハウジング２０の側面のうち、図１における左右の側面には、図１０に示すように、第２ハウジング４０の側面の係止突部４３を係止するハウジング係止孔２５が形成されている。
【００２４】
（規制部材２６）
規制部材２６は、図３、図４、図７および図８に示すように、端子接続部品１０の正面側（図３の右側）に配されており、規制部材２６の背面側には電極端子１２の溝部１３に嵌めこまれる取付突部２７が設けられている。規制部材２６は、図７に示すように、正面視同心円状をなしている。規制部材２６のうち、正面側の直径の小さい小径部２８は、その厚み寸法が規則的に変化するように形成されている（図８を参照）。背面側の直径の大きい大径部２９は回転部材３０の押圧部３２（後述する）とともに電極端子１２および第２端子５０を押圧する。規制部材２６の中央部分には回転部材３０の軸部３１を挿通可能に貫通孔２６Ａが設けられている。
【００２５】
（回転部材３０）
回転部材３０は、規制部材２６、電極端子１２、第２端子５０および皿バネ３５を貫通する軸部３１と、軸部３１の正面側の端部に設けられ軸部３１を回転させる回転ピン３３と、軸部３１の背面側の端部に設けられた押圧部３２と、を備える。
【００２６】
本実施形態において、回転ピン３３が左右方向（横方向）を向いているとき（図３および図１３）に、回転ピン３３が規制部材２６の小径部２８に当接して２つの端子１２，５０に大きな荷重がかかるようになっている。これにより、回転ピン３３が上下方向（縦方向）を向いているとき（図１２）よりも、左右方向（横方向）を向いているとき（図３および図１３）に、２つの端子１２，５０にかかる荷重が大きくなる。
【００２７】
回転部材３０の軸部３１は、規制部材２６の貫通孔２６Ａ、第２端子５０の溝部５１、電極端子１２の溝部１３、皿バネ３５の貫通孔３５Ａを貫通する。回転部材３０の軸部３１には回転ピン３３を挿通させるピン挿通孔３１Ａが設けられている。
【００２８】
回転部材３０の押圧部３２は円盤状をなしており、皿バネ３５とともに電極端子１２および第２端子５０を押圧するようになっている。押圧部３２と電極端子１２との間に配されている皿バネ３５の略中央には回転部材３０の軸部３１が挿通される貫通孔３５Ａが形成されている。
【００２９】
（第２ハウジング４０）
第１ハウジング２０の外側に嵌合される樹脂製の第２ハウジング４０は、全体として略直方体状をなしている。第２ハウジング４０は、角筒状の本体部４１と、本体部４１の上部開口を閉じる蓋部４７と、を備える。
【００３０】
蓋部４７の内壁面には第２端子５０を保持する端子保持部４７Ｃが設けられており、蓋部４７の上面にはシャッター６０が配置されるシャッター配置孔４９が貫通して設けられている。
【００３１】
蓋部４７の側面のうち、第２端子５０に接続された電線５５が配置される側の側面には、図２に示すように、下方に延出された延出部４７Ａが形成されており、この延出部４７Ａには、半円状の切欠部４７Ｂが形成されている。蓋部４７には、本体部４１に係止される蓋係止突部（図示せず）が形成されている。
【００３２】
本体部４１の側面のうち第２端子５０に接続された電線５５の配置される側の側面には、蓋部４７の延出部４７Ａに形成された半円状の切欠部４７Ｂと対応して半円状の切欠部４１Ａが設けられている。したがって、蓋部４７を本体部４１に取り付けると蓋部４７の半円状の切欠部４７Ｂと本体部４１の半円状の切欠部４１Ａとが１つになって円形の孔４８が形成されるようになっている。この円形の孔４８は第２端子５０に接続された電線５５が配置される電線配置孔４８である（図２参照）。
【００３３】
本体部４１の上端部には、蓋部４７の蓋係止突部を係止する蓋係止孔４２Ａが形成された係止片４２が設けられている。また、本体部４１の下端部には第１ハウジング２０のハウジング係止孔２５に係止される係止突部４３が形成されている。
【００３４】
本体部４１の左右の側面の内壁面には、第２端子５０の係止凸部５２を係止する端子係止部４４が形成されている。端子係止部４４は図１１に示すように断面視Ｌ字状をなしており端子係止部４４の先端部が第２端子５０の係止凸部５２を係止するようになっている。
【００３５】
本体部４１の正面側の側面の内壁面の上端にはシャッター６０を係止する係止凹部４５が形成されている。
【００３６】
本体部４１の正面壁には、図１および図６に示すように、治具６４を挿入可能な治具挿入口４６が、第１ハウジング２０の治具挿入口２４と対応して設けられている。
【００３７】
（シャッター６０）
第２ハウジング４０の治具挿入口４６及び第１ハウジング２０の治具挿入口２４を閉じる樹脂製のシャッター６０は図４に示すように、長方形状をなしている。シャッター６０の略中央にはＵ字状のスリット６１が形成されている。このスリット６１の内側には正面側に突出し、第２ハウジング４０の係止凹部４５に係止されるハウジング係止突部６２が形成されている。
【００３８】
さて、シャッター６０の背面側の面には、上下方向を向いている回転ピン３３の上端に当接してその下方への移動を規制する規制リブ６３が外側方向に突出形成されている。回転ピン３３を回動させて回転ピン３３と規制リブ６３とが当接しない状態となると、シャッター６０が下方へ移動可能となる。本実施形態では、回転ピン３３を回動する際にハウジングの治具挿入口２４，４６から治具６４が挿入されており、治具６４が挿入されている状態では、図１３に示すように、シャッター６０の下方への移動が治具６４により規制されている。
【００３９】
（第２端子５０）
第２端子５０は銅や銅合金などの導電性金属板材から構成され、下端部の略中央には溝部５１が形成されている。第２端子５０の溝部５１には規制部材２６の取付突部２７と回転部材３０の軸部３１が配されるようになっている。
【００４０】
第２端子５０の上下方向における略中央には、第２ハウジング４０の本体部４１の端子係止部４４に係止される係止凸部５２が外側方向に突出形成されている。第２端子５０の上端部は蓋部４７の内壁面に形成した端子保持部４７Ｃにより保持されている。
【００４１】
第２端子５０の上端部と、係止凸部５２との間は、他の部分よりも幅狭に形成された幅狭領域５３であり、この領域５３には電線５５の露出芯線５６が接続されている。
【００４２】
第２端子５０に接続されている電線５５は、その両端末において絶縁被覆５７の剥離除去により芯線５６が露出している。電線５５の両端末で露出する芯線５６は隣り合う端子接続部品１０に用いられる第２端子５０にそれぞれ接続されている（図１０を参照）。電線５５の両端で露出する芯線５６に接続される第２端子５０は、相違する極性の電極端子１２に接続されている。つまり、隣り合う単電池１１の電極端子１２同士は、第２端子５０と電線５５を介して電気的に接続されている。
【００４３】
（端子接続部品１０の接続方法）
以下、本実施形態の端子接続部品１０の接続方法について説明する。
所望の数の単電池１１を隣合う単電池１１の電極端子１２が逆極性となるように並べて、各単電池１１の電極端子１２が形成された面（本実施形態では上面）にセパレータ１５を取り付ける。単電池１１にセパレータ１５を取り付ける際にはセパレータ１５の端子挿通孔１７に電極端子１２を挿通させる。
【００４４】
次に、電極端子１２の溝部１３に規制部材２６の取付突部２７を嵌めこんで、電極端子１２に規制部材２６を取り付けると規制部材２６は電極端子１２に対して回転規制される。
【００４５】
次に回転ピン３３を取り外した状態の回転部材３０の軸部３１に皿バネ３５と、規制部材２６とを貫通させる。詳しくは、回転部材３０の軸部３１を皿バネ３５の貫通孔３５Ａに通した後、当該軸部３１を背面側から電極端子１２に取り付けた規制部材２６の貫通孔２６Ａに通すと、皿バネ３５が押圧部３２と電極端子１２に挟まれた状態となる。軸部３１のピン挿通孔３１Ａに回転ピン３３を挿通させて軸部３１に回転ピン３３を取り付けると図４に示すような状態となる。
【００４６】
回転部材３０および規制部材２６を取り付けた電極端子１２の上側から第１ハウジング２０を取り付ける。第１ハウジング２０の係止爪２１をセパレータ１５のハウジング固定孔１６に対応させて上方から第１ハウジング２０をセパレータ１５に取り付けると、第１ハウジング２０の係止爪２１がセパレータ１５のハウジング固定孔１６に係止されて固定される（図５を参照）。
【００４７】
第１ハウジング２０の取付作業と同時又は前後して、以下に説明する手順で第２ハウジング４０に第２端子５０とシャッター６０を取り付ける作業を行う。
【００４８】
まず、第２端子５０の幅狭領域５３に電線５５を接合する。具体的には、電線５５の両端末において絶縁被覆５７を剥離除去して、芯線５６を露出させておき、電線５５の両端末で露出する露出芯線５６にそれぞれ第２端子５０を接合する（図１０を参照）。露出芯線５６と第２端子５０の接合は、各種溶接法等、公知の接合方法により行われる。
【００４９】
次に、電線５５が第２ハウジング４０の蓋部４７の切欠部４７Ｂから外側に配されるように第２端子５０を配して、第２端子５０の上端部を蓋部４７の端子保持部４７Ｃに嵌めこんで保持させる。第２端子５０を保持させた蓋部４７を第２ハウジング４０の本体部４１に取り付ける。このとき第２端子５０の電線５５が本体部４１の切欠部４１Ａから外側に配されるように蓋部４７を配置する。蓋部４７を本体部４１に取り付けると蓋部４７が本体部４１の蓋係止孔４２Ａに係止され、電線５５が電線配置孔４８から外側に配される。また、第２端子５０の係止凸部５２が第２ハウジング４０の本体部４１内の端子係止部４４より係止され第２端子５０が本体部４１によっても保持される。
【００５０】
第２端子５０を保持させた第２ハウジング４０の蓋部４７のシャッター配置孔４９に、上側からシャッター６０を差し込むと、第２ハウジング４０の本体部４１の内壁に設けた係止凹部４５に、ハウジング係止突部６２が係止され、シャッター６０の上端部が蓋部４７の上方からはみ出した状態で保持される。このようにして図５に示すような第２端子５０およびシャッター６０を取り付けた第２ハウジング４０が得られる。
【００５１】
第２端子５０およびシャッター６０を取り付けた第２ハウジング４０を、図５に示すように、電極端子１２等を収容した第１ハウジング２０に嵌合させる。開口部を下側に向けた状態とした第２ハウジング４０を、第１ハウジング２０に上方から嵌合させる。第２ハウジング４０を下方に移動させて、第２端子５０の下端部が第１ハウジング２０の端子挿入口２２に至ると、第２端子５０が端子挿入口２２に挿入されて第２端子５０の溝部５１が回転部材３０の軸部３１に案内される。
【００５２】
第２ハウジング４０をさらに下方に移動させて第１ハウジング２０との嵌合位置にまで至ると、図６に示すように、第２ハウジング４０の側壁の係止突部４３が第１ハウジング２０の側壁のハウジング係止孔２５に嵌り込んで第２ハウジング４０が第１ハウジング２０に係止される。また、第２ハウジング４０の治具挿入口４６と第１ハウジング２０の治具挿入口２４とが重なり合って１つの治具挿入口となる。
【００５３】
この状態において、第２端子５０の溝部５１に回転部材３０の軸部３１が配され、第２端子５０は電極端子１２と規制部材２６との間に挟まれる（図７および図８を参照）るが、シャッター６０の一部は第２ハウジング４０の蓋部４７の上方からはみ出したままである。
【００５４】
次に、図９に示すように第２ハウジング４０の治具挿入口４６から治具を挿入して回転ピン３３を回動させる。回動させる前の回転ピン３３は上下方向を向いている（図１０の右側の端子接続部品１０および図１２を参照）。回転ピン３３が上下方向を向いているときには、図１２に示すように、シャッター６０の規制リブ６３と回転ピン３３とが当接しておりシャッター６０の下方への移動が規制されている。
【００５５】
治具６４を操作して回転ピン３３が横方向を向いている状態から回動させると、シャッター６０と回転ピン３３との当接状態が解除されて、回転ピン３３とシャッター６０とが非当接状態となる（図１３を参照）。本実施形態では回転ピン３３を９０°回動させた状態のときにも、シャッター６０が治具６４と当接しているので、下方への移動が規制されているが、電極端子１２および第２端子５０は皿バネ３５を介して押圧部３２により押圧され相互に接触し荷重のかかった状態（電気的な接続可能な状態）となる。次いで、治具６４を抜くと、治具６４とシャッター６０との当接状態が解除されるので、治具６４を抜くだけでシャッター６０が下方に移動して治具挿入口２４，４６が閉じた状態となる（図３を参照）。
【００５６】
同様の作業を繰り返し全ての回転ピン３３を回動させる操作および治具６４の抜き取り作業が終了すると、端子接続部品１０の取り付け作業ならびに単電池１１の接続作業が終了する。
【００５７】
（本実施形態の作用および効果）
本実施形態によれば、回転部材３０に電極端子１２および第２端子５０を貫通させて、軸部３１を２つの端子１２，５０に荷重がかかった状態となるように回転させればよいので、端子１２，５０間の接続にボルト締結が不要であり、端子間接続作業の作業効率が向上する。
【００５８】
また、本実施形態によれば、押圧部３２と、電極端子１２との間に挟持された皿バネ３５を備えているから、端子１２，５０の板厚方向における公差を吸収することができる。
【００５９】
また、本実施形態によれば、第１端子１２は、単電池１１に設けられた電極端子１２であるから、単電池１１を複数接続して電池モジュールを構成するときや複数の電池モジュールを接続する際の接続作業の作業効率が向上する。
【００６０】
また、本実施形態によれば、回転部材３０の回動操作を治具６４により行うようになっているので、端子１２，５０に直接指が触れることがなく安全性が高い。
【００６１】
さらに本実施形態によれば、回転ピン３３の回動操作により、電極端子１２と第２端子５０との接続作業を行うとともに、電極端子１２と第２端子５０との接続部分をシャッター６０により閉じる作業を行うことができるので、作業効率に優れる。
【００６２】
＜実施形態２＞
本発明に係る実施形態２の端子接続部品７０を図１４ないし図２４によって説明する。以下の説明において図１４における上方を上とし下方を下とする。図１４においては電池ケース１４の一部を示しているが、他の図では、単電池１１に関してセパレータ１５よりも上の部分のみを描いている。
【００６３】
本実施形態の端子接続部品７０は、回転部材７１の回転ピン７２が図２１における左右方向（横方向）を向いているときにシャッター７３が開いており、回転ピン７２が上下方向（縦方向）を向いているときにシャッター７３が閉じるという点で実施形態１とは相違する。実施形態１と同様の構成については同じ符号を付し、重複した説明は省略する。
【００６４】
本実施形態において、回転ピン７２が左右方向（横方向）を向いているとき（図１６〜図２０、図２３）よりも、上下方向（縦方向）を向いているとき（図１５および図２４）に、２つの端子にかかる荷重が大きくなっている。
【００６５】
第２ハウジング４０の治具通し孔４６と第１ハウジング２０の治具通し孔２４を閉じる樹脂製のシャッター７３は、略中央にＵ字状のスリット６１が形成されており、スリット６１の内側にハウジング係止突部６２が形成されている点では実施形態１と同様である。しかしながら本実施形態では、図２１に示すように、シャッター７３の下端部には、回転部材７１の回動操作を妨げないように半円状の切欠部７３Ａが形成されており、かつ、シャッター７３の背面側の面には、円弧状の規制リブ７４が回転ピン７２が上下方向（縦方向）に配されるときに干渉しないように形成されている。
【００６６】
本実施形態の端子接続部品７０の接続方法について説明する。本実施形態では回転ピン７２を、初期位置（左右方向を向いている位置、図２１の右側の端子接続部品７０の回転ピン７２の位置）から例えば右回りに少し回動させると、回転ピン７２の左端部は引き続き規制リブ７４と干渉するが、回転ピン７２の右端部は規制リブ７４と干渉しない位置に配される。一方、電極端子１２および第２端子５０にかかる荷重については徐々に大きくなり６０°回動させたところで最大となる（図２５を参照）。
【００６７】
回転ピン７２を初期位置から約９０°回動させて、回転ピン７２が規制リブ７４と当接しない位置（干渉しない位置）に配されると、シャッター７３が下方へ移動可能となる（図２２を参照）。回転ピン７２とシャッター７３とが非当接状態となっても、治具６４がハウジング２０，４０内に配されているときには、シャッター７３が治具６４と当接しているので、下方への移動が規制されている。
【００６８】
このとき、電極端子１２および第２端子５０は、皿バネ３５を介して押圧部３２により押圧され相互に接触し荷重のかかった状態（電気的な接続可能な状態）である。この状態において電極端子１２および第２端子５０に係る荷重は、回転ピン７２を初期位置から６０°回動したときよりもやや小さくなるが、回転ピン７２が初期位置にあるときより大きい（図２５を参照）。図２５中、「初期状態」とは回転ピン７２が初期位置にある状態のことをいい、「最大荷重時」とは、電極端子１２および第２端子５０にかかる荷重が最大のときをいい、「終了状態」とは、初期位置から９０°回動させた状態をいい、「Ｘ」とは端子が押される力（押圧力）を示す。
【００６９】
次に、治具通し孔２４，４６から治具６４を抜き取ると、治具６４とシャッター７３との当接状態が解除され、シャッター７３が下方に移動して治具通し孔２４，４６が閉じた状態となる（図１５を参照）。
【００７０】
同様の作業を繰り返し全ての回転ピン７２を回動させる操作および治具６４抜き取り作業が終了すると、端子接続部品７０の取り付け作業ならびに単電池１１の接続作業が終了する。上記以外の構成については実施形態１と概ね同様である。
【００７１】
本実施形態によれば、実施形態１と同様の効果に加えて、以下の効果がある。本実施形態では回転ピン７２が上下方向を向いている状態のとき（初期位置から９０°回動させたとき）のみシャッター７３が下方へ移動可能となる。その結果、本実施形態によれば、２つの端子１２，５０に確実な接続状態となるような荷重がかかったときのみシャッター７３が下降するように設定することができるので、端子１２，５０間が接続されているか否かについてのチェックを容易に行うことができる。
【００７２】
＜実施形態３＞
本発明に係る実施形態３の端子接続部品１００を図２８ないし図４０によって説明する。以下の説明において図３２における上方を上とし下方を下とする。本実施形態の端子接続部品１００は、例えば隣り合う電池モジュール同士や隣り合う単電池１１１同士を電気的に接続するものである。
【００７３】
本実施形態の端子接続部品１００は、図２９に示すように、単電池１１１の電極端子１１２（第１端子の一例）に対して回転規制される規制部材１２７、回転部材１３０、皿バネ１３５（バネ部材の一例）、隣り合う電極端子１１２，１１２間を接続する端子接続部１４２を２つ備えた第２端子１４０および、これらを収容するハウジング１２０を備える。
【００７４】
（単電池１１１）
単電池１１１は、図示しない発電要素と、発電要素を収容する電池ケース１１４と、発電要素に接続されるとともに電池ケース１１４の上面から突設されたＬ字状の電極端子１１２と、を有する。電池ケース１１４の上面は端子形成面１１４Ａに相当し、樹脂製のハウジング１２０が配置されている。
【００７５】
電極端子１１２の電池ケース１１４内に配される板状部分１１３Ｂには、図示しない発電要素が接続されている。電極端子１１２の、端子形成面１１４Ａと略平行（「対向する」の一例）に配されている円盤状の部分は、第２端子１４０と接続される接続部１１３である。電極端子１１２の接続部１１３には回転部材１３０の軸部１３１が挿通される軸部挿通孔１１３Ａが形成されている（図２９を参照）。
【００７６】
（ハウジング１２０）
樹脂製のハウジング１２０は、図２９に示すように、下端部が開口し、上側には２つの収容突部１２２を備える。ハウジング１２０の側壁のうち、長手方向に配される側壁には電池ケース１１４の係止孔１１５に係止される係止突部１２１が設けられている。収容突部１２２には、電極端子１１２、皿バネ１３５、回転部材１３０、規制部材１２７、および第２端子１４０の端子接続部１４２が収容されている。
【００７７】
収容突部１２２の上方、下方の一部および側方の一部は開口している。収容突部１２２の上方の開口にはハウジングカバー１２４が被せ付けられるようになっていて、収容突部１２２の下方の開口には電極端子１１２が配される。収容突部１２２の側方の開口からは第２端子１４０の一部が収容突部１２２の外側に導出されるようになっている。
収容突部１２２を構成する壁部のうち、上面視弧状をなす弧状壁部１２２Ａと、この弧状壁部１２２Ａと対向する位置にある壁部１２２Ｂとには、ハウジングカバー１２４を係止するカバー係止部１２３が突出形成されている。
【００７８】
（ハウジングカバー１２４）
ハウジングカバー１２４は図２９および図３０に示すように、収容突部１２２の上方の開口の全域を覆うとともに、収容突部１２２から外側に導出された第２端子１４０の一部を覆う部材である。これにより電極端子１１２と第２端子１４０との接続部１１３を保護するとともに接続部１１３に手指が接触することを防止することができる。
ハウジングカバー１２４にはハウジング１２０のカバー係止部１２３を受け入れる係止受け部１２５が対応する位置に設けられている。また、ハウジングカバー１２４の裏面には、図３１に示す状態で回転ピン１３３を規制部材１２７に対して固定するピン固定部１２６が設けられている（図３０を参照）。
【００７９】
（規制部材１２７）
規制部材１２７は、図３５に示すように、端子接続部品１００の上側に配されており、規制部材１２７の背面側には電極端子１１２の軸部挿通孔１１３Ａに嵌めこまれる取付突部１２８が設けられている。
【００８０】
規制部材１２７は、図３６に示すように、その厚み寸法が規則的に変化するように上面に傾斜面１２９が形成されている。規制部材１２７の厚み寸法が大きい部分が回転部材１３０の回転ピン１３３と当接することにより回転部材１３０の押圧部１３２（後述する）とともに電極端子１１２および第２端子１４０を押圧する。規制部材１２７の中央部分には回転部材１３０の軸部１３１を挿通可能に貫通孔１２７Ａが設けられている。
【００８１】
（回転部材１３０）
回転部材１３０は、軸部１３１と、軸部１３１の上端部に設けられ軸部１３１を回転させる回転ピン１３３と、軸部１３１の下端部に設けられた押圧部１３２と、を備える。本実施形態において、回転部材１３０は、押圧部１３２を電極端子１１２と単電池１１１の端子形成面１１４Ａとの間に配しつつ、軸部１３１に電極端子１１２を貫通させた状態で、単電池１１１に組み込まれている。
【００８２】
本実施形態において、回転ピン１３３が、図３１に示すように、左右方向を向いているときに、回転ピン１３３が規制部材１２７の厚み寸法の大きい部分に当接して２つの端子１１２，１４０に大きな荷重がかかるようになっている。
【００８３】
回転部材１３０の軸部１３１は、規制部材１２７の貫通孔１２７Ａ、第２端子１４０の溝部１４１、電極端子１１２の接続部１１３（軸部挿通孔１１３Ａ）、皿バネ１３５の貫通孔１３５Ａを貫通する。回転部材１３０の軸部１３１には回転ピン１３３を挿通させるピン挿通孔１３１Ａが設けられている。
【００８４】
回転部材１３０の押圧部１３２は円盤状をなしており、皿バネ１３５とともに電極端子１１２および第２端子１４０を押圧するようになっている。押圧部１３２と電極端子１１２との間に配されている皿バネ１３５の略中央には回転部材１３０の軸部１３１が挿通される貫通孔１３５Ａが形成されている。
【００８５】
（第２端子１４０）
第２端子１４０は銅や銅合金などの導電性金属板材から構成された部材であり、隣り合う電極端子１１２，１１２間に配されて単電池１１１間を電気的に接続する機能を有する。第２端子１４０は、隣り合う電極端子１１２，１１２にそれぞれ接続される２つの端子接続部１４２を有している。また、２つの端子接続部１４２の間には端子接続部１４２よりも上方に突出して２つの端子接続部１４２を連結する連結部１４３が設けられている。第２端子１４０の連結部１４３には絶縁性材料からなる絶縁被覆が取り付けられており、安全性が確保されている。
【００８６】
各端子接続部１４２は図３１に示すように、上面視Ｕ字状をなしている。端子接続部１４２の略中央には溝部１４１が形成されている。端子接続部１４２の溝部１４１には規制部材１２７の取付突部１２８と回転部材１３０の軸部１３１が配されるようになっている。
【００８７】
（端子接続部品１００の接続方法）
以下、本実施形態の端子接続部品１００の接続方法について説明する。
押圧部１３２および皿バネ１３５を電極端子１１２と単電池１１１の端子形成面１１４Ａとの間に配しつつ、軸部１３１に電極端子１１２を貫通させた状態で、組み込まれている回転部材１３０を備える単電池１１１を用意する。所望の数の単電池１１１を隣合う単電池１１１の電極端子１１２が逆極性となるように並べて、各単電池１１１の端子形成面１１４Ａ（本実施形態では上面）にハウジング１２０を取り付ける。具体的には、ハウジング１２０の係止突部１２１を電池ケース１１４の係止孔１１５に係止させるとハウジング１２０が単電池１１１の端子形成面１１４Ａに取り付けられる。
【００８８】
次に、規制部材１２７の貫通孔１２７Ａを回転部材１３０の軸部１３１に貫通させることにより規制部材１２７を回転部材１３０に取り付けると規制部材１２７は電極端子１１２に対して回転規制される。回転が規制されている状態の回転部材１３０のピン挿通孔１３１Ａに回転ピン１３３を挿通させる。このとき、回転ピン１３３の位置を、図３７および図３８に示すように規制部材１２７の厚み寸法が最大になっている位置（図３７における左右方向）からずらしておく。
【００８９】
回転ピン１３３を図３７および図３８に示す状態にしておいて、次に、収容突部１２２の開口から第２端子１４０を取り付ける。具体的には、規制部材１２７の取付突部１２８に第２端子１４０の端子接続部１４２の溝部１４１を配して規制部材１２７と電極端子１１２との間に端子接続部１４２を差し込むと、図３９および図４０に示すように、第２端子１４０が規制部材１２７に取り付けられる。このとき、回転ピン１３３の位置は規制部材１２７の厚みが最大の部分の位置ではないので、第２端子１４０と電極端子１１２とは、図４０に示すように、接触しているが、電気的な接続が可能な程度の荷重はかかっていない。ここで、図３２、図３５、図３９および図４０においては、電極端子１１２と第２端子１４０との接続状態を示すため、ハウジング１２０を省略している。
【００９０】
次に、治具（図示せず）を用いて回転ピン１３３を図３１に示す位置まで回動させる。すると、電極端子１１２および第２端子１４０は皿バネ１３５を介して押圧部１３２により押圧され相互に接触し荷重のかかった状態（電気的な接続が可能な状態）となる。
【００９１】
次に収容突部１２２の上側の開口にハウジングカバー１２４を被せ付ける。具体的には、ハウジングカバー１２４のピン固定部１２６を回転ピン１３３の上方に配して、ハウジング１２０のカバー係止部１２３をハウジングカバー１２４の係止受け部１２５に係合させる。これにより、ハウジングカバー１２４のピン固定部１２６により回転ピン１３３が移動を規制されるとともに、ハウジングカバー１２４がハウジング１２０に係止される。
【００９２】
同様の作業を繰り返し全ての回転ピン１３３を回動させる操作およびハウジングカバー１２４の取り付け作業が終了すると、端子接続部品１００の取り付け作業ならびに単電池１１１の接続作業が終了する。
【００９３】
（本実施形態の作用および効果）
本実施形態によれば、実施形態１と同様に、回転部材１３０に電極端子１１２および第２端子１４０を貫通させて、軸部１３１を２つの端子１１２，１４０に荷重がかかった状態となるように回転させればよいので、端子１１２，１４０間の接続にボルト締結が不要であり、端子間接続作業の作業効率が向上する。
【００９４】
また、本実施形態によれば、押圧部１３２と、電極端子１１２との間に挟持された皿バネ１３５を備えているから、端子１１２，１４０の板厚方向における公差を吸収することができる。
【００９５】
また、本実施形態によれば、第１端子１１２は、単電池１１１に設けられた電極端子１１２であるから、単電池１１１を複数接続して電池モジュールＭを構成するときや複数の電池モジュールＭを接続する際の接続作業の作業効率が向上する。
【００９６】
また、本実施形態によれば、回転部材１３０の回動操作を治具により行うようになっているので、端子１１２，１４０に直接指が触れることがなく安全性が高い。
【００９７】
さらに本実施形態によれば、単電池１１１の電極端子１１２の第２端子１４０との接続部１１３が単電池１１１の端子形成面１１４Ａと対向するように配されるとともに、回転部材１３０の押圧部１３２が、電極端子１１２と単電池１１１の端子形成面１１４Ａとの間に配されているので、端子接続部品１００の低背化を図ることができる。
【００９８】
また、本実施形態によれば、単電池１１１に組み込まれている回転部材１３０の軸部１３１には電極端子１１２が貫通されており、第２端子１４０および規制部材１２７を軸部１３１の延びる方向（上下方向）から組み付けていけばよいので組み付け作業を簡素化することができる。
【００９９】
加えて本実施形態によれば、端子接続部品１００を収容するハウジング１２０を覆うハウジングカバー１２４を取り付けることにより、回転ピン１３３の移動が規制され、これにより、電極端子１１２と第２端子１４０との接続状態を電気的な接続が可能な荷重のかかった状態で維持することができるので、電極端子１１２と第２端子１４０との電気的な接続を信頼性の高いものとすることができる。
【０１００】
＜他の実施形態＞
本発明は上記記述及び図面によって説明した実施形態に限定されるものではなく、例えば次のような実施形態も本発明の技術的範囲に含まれる。
（１）上記実施形態１，２では押圧部３２と電極端子１２との間に挟まれた皿バネ３５を備える例を示したが、例えば図２６および図２７に示すようにバネ部材を備えない構成のものであってもよい。図２６および図２７で示す構造はバネ部材を備えない以外は実施形態２と同様であるので実施形態２と同様の符号を付している。
また、バネ部材は皿バネ３５以外のもの、例えば、板バネやスプリング等であってもよい。
（２）上記実施形態１，２では第１端子１２および第２端子５０をそれぞれハウジング２０，４０に収容した例を示したが、ハウジングを備えない構成（例えば図７、図８、図１６〜図１８等に示すような構成のみのもの）であってもよい。
（３）上記実施形態では第１端子が単電池１１の電極端子１２の例を示したが、第１端子は単電池の電極端子以外の端子であってもよい。
（４）上記実施形態では、軸部３１を回転ピン３３で回動する構成のものを示したが、軸部を直接回動する構成であってもよい。また回転ピンは手動で回動するものであってもよい。
（５）上記実施形態１，２ではシャッター６０を備える例を示したが、シャッターがないものであってもよい。
（６）上記実施形態１，２では、１つの作業により、２つの端子１２，５０に荷重がかかる状態とするとともにシャッター６０を閉鎖可能とする構造を示したが、２つの端子に荷重がかかる状態とする作業と、シャッターを閉じる作業とを独立した作業とする構造であってもよい。
（７）上記実施形態では、第１端子１２と規制部材２６が別体の例を示したが一体であってもよい。
（８）上記実施形態３では、２つの端子１１２，１４０に電気的な接続が可能な荷重がかかった位置で回転ピン１３３を固定するピン固定部１２６を備えたハウジングカバー１２４を示したが、ハウジングカバーはピン固定部を備えないものであってもかまわない。
【符号の説明】
【０１０１】
１０，７０，１００…端子接続部品
１１，１１１…単電池
１２，１１２…電極端子（第１端子）
１３…溝部
２６，１２７…規制部材
２６Ａ，１２７Ａ…規制部材の貫通孔
２７．１２８…取付突部
２８…小径部
３０，７１，１３０…回転部材
３１，１３１…軸部
３２，１３２…押圧部
３３，７２，１３３…回転ピン
３５，１３５…皿バネ（バネ部材）
３５Ａ，１３５Ａ…貫通孔
５０，１４０…第２端子
５１，１４１…溝部
５５…電線 
１１３Ａ…軸部挿通孔
１１３…（第２端子との）接続部
１２９…規制部材の傾斜面
１４２…端子接続部（電極端子との接続部）
【図１】
2014130799.tif 000003
【図２】
2014130799.tif 000004
【図３】
2014130799.tif 000005
【図４】
2014130799.tif 000006
【図５】
2014130799.tif 000007
【図６】
2014130799.tif 000008
【図７】
2014130799.tif 000009
【図８】
2014130799.tif 000010
【図９】
2014130799.tif 000011
【図１０】
2014130799.tif 000012
【図１１】
2014130799.tif 000013
【図１２】
2014130799.tif 000014
【図１３】
2014130799.tif 000015
【図１４】
2014130799.tif 000016
【図１５】
2014130799.tif 000017
【図１６】
2014130799.tif 000018
【図１７】
2014130799.tif 000019
【図１８】
2014130799.tif 000020
【図１９】
2014130799.tif 000021
【図２０】
2014130799.tif 000022
【図２１】
2014130799.tif 000023
【図２２】
2014130799.tif 000024
【図２３】
2014130799.tif 000025
【図２４】
2014130799.tif 000026
【図２５】
2014130799.tif 000027
【図２６】
2014130799.tif 000028
【図２７】
2014130799.tif 000029
【図２８】
2014130799.tif 000030
【図２９】
2014130799.tif 000031
【図３０】
2014130799.tif 000032
【図３１】
2014130799.tif 000033
【図３２】
2014130799.tif 000034
【図３３】
2014130799.tif 000035
【図３４】
2014130799.tif 000036
【図３５】
2014130799.tif 000037
【図３６】
2014130799.tif 000038
【図３７】
2014130799.tif 000039
【図３８】
2014130799.tif 000040
【図３９】
2014130799.tif 000041
【図４０】
2014130799.tif 000042